(57)【要約】  液晶表示装置１０において液晶パネル１１の背後に設置されるバックライト装置１２は、開口部１６を備えた筐体（ランプハウス）１３と、筐体１３の内部に収容されている少なくとも一つの光源１９と、開口部１６を覆うネット２０と、ネット２０上に配置された光学シート要素２１を有する。【特許請求の範囲】
【請求項１】
開口部を備えた筐体と、筐体の内部に収容されている少なくとも一つの光源と、前記開口部を覆うネットと、前記ネット上に配置された光学シート要素を有するバックライト装置。
【請求項２】
前記ネットが繊維又は金属からなる縦糸及び横糸を編成して形成されていることを特徴とする請求項１記載のバックライト装置。
【請求項３】
前記ネットは、前記開口部上で少なくとも一方向に張力が加えられていることを特徴とする請求項１又は請求項２記載のバックライト装置。
【請求項４】
前記ネットが縦方向の糸配列又はワイヤ配列、または横方向の糸配列又はワイヤ配列のいずれかによって構成されていることを特徴とする請求項１に記載のバックライト装置。
【請求項５】
前記光学シート要素は、光を拡散させて指向性を広げる拡散シート、光の視野角内に集光させるレンズシート、特定の偏光成分を透過すると共に残りの偏光成分を反射する偏光分離シートの少なくともいずれか一つを含むことを特徴とする請求項１〜４のいずれかに記載のバックライト装置。
【請求項６】
請求項１〜５のいずれかのバックライト装置と、前記バックライト装置から出射された光を透過する液晶パネルを備えたことを特徴とする液晶表示装置。
【発明の詳細な説明】
【技術分野】
【０００１】
本発明は、液晶表示装置（Liquid Crystal Display）、及びこの液晶表示装置に用いるバックライト装置に関する。
【背景技術】
【０００２】
マイクロコンピュータやテレビジョン受像機の表示装置として広く利用されている液晶表示装置は、概略、液晶パネル又は液晶セルとバックライト装置で構成されている。一般的に、液晶セルは、カラーフィルタ、２枚のガラス基板、これらガラス基板の間に封じ込まれた液晶、それぞれのガラス基板の外側の面上に配置された偏光板で構成されている。このような構成を有する液晶パネルは非発光性である。したがって、液晶表示装置が表示装置として機能するためには、バックライト装置のような外部照明光源を必要とする。【０００３】
バックライト装置は、その構造から、液晶パネルの背面に配置された導光板と、該導光板のエッジ部に対向して配置された光源を有するエッジライト方式と、筐体であるランプハウスの内部に光源と該光源から出射された光を液晶パネルに向けて反射する反射体又は反射板を配置し、光源から出射された光及び反射板で反射した光を光透過拡散板を介して液晶パネルに入射する直下方式に分けられる。これらエッジライト方式と直下方式は、それぞれ固有の利点を有することから、液晶表示装置に要求される性能に応じて使い分けられる。例えば、直下方式のバックライト装置は、光源から出射された直接光を利用するため、エッジライト方式に比べて光の利用効率が高いことから、大型で高輝度が要求されるモニタ用表示装置やテレビジョン受像機などの用途に適している。【０００４】
図８Ａ〜図８Ｃを参照して直下方式のバックライト装置を説明する。図に示すように、バックライト装置１１２のランプハウスである筐体１１３は、横断面が略台形を有する四角形容器の形をしており、白色高反射グレード成型用合成樹脂で一体成型するか、金属板或は金属板と成型用合成樹脂を組み合わせて作製されている。筐体１１３の内側には、筐体内面に高反射塗料を塗布するか又は高反射フィルム材などの反射シートを貼着して反射板１１８が形成されている。筐体１１３の内部には、冷陰極管又は熱陰極管からなる細径の蛍光管（蛍光ランプ）である円筒状光源１１９が並行に配置されている。各円筒状光源１１９は、両端電極部が筐体１１３の側板に設けた電気接続部に接続されて支持されており、筐体背面（底面）から約１〜２ｍｍ離間して保持されている。円筒状光源１１９に代えて発光ダイオードや平面状光源を光源として用いたバックライト装置が存在し、そのバックライト装置では光源は筐体背面又は反射板１１８に固定されている。光源の数や密度、筐体開口部１１６から光源までの距離などの諸条件は、要求される輝度によって決定される。筐体開口部１１６の上には、乳白色のアクリル樹脂やポリカーボネート樹脂等の合成樹脂を用いて製造された光透過拡散板１０１が筐体開口部１１６を覆うように配置される。光透過拡散板１０１は、これに入射した光を拡散する機能を有する。したがって、光源１１９から放射状に発した光は、直接あるいは筐体１内の反射板２で反射されて光透過拡散板１０１を透過する際に拡散されて面発光に変換される。光透過拡散板１０１で拡散した光を液晶パネルに向けて集光するために、例えば、特許文献１に示されているように、光透過拡散板１０１の上には、光学シート要素１２１、例えば光拡散シート１２２、第１及び第２のレンズシート１２３，１２４、および偏光分離シート１２５が配設されている。また、特許文献２に示されているように、３０インチを超える大きさの液晶表示装置に用いられるバックライト装置では、光透過拡散板１０１の弛みを防ぐために、筐体底部１１４から光透過拡散板１０１に向けて突出する複数のスペーサピン１０２が設けられる。
【特許文献１】特開２００２−１１６７０５号公報
【特許文献２】特開平１０−３２６５１７号公報
【発明の開示】
【発明が解決しようとする課題】
【０００５】
このように構成された従来の直下型バックライト装置の光透過拡散板は、種々の問題を含むものであった。例えば、大型表示装置用の光透過拡散板は高価である。また、光透過拡散板は、常温で大気中の水分を吸って液晶パネルに向かって外側に反り上がり、液晶パネルにストレスを与えて傷つけることがある。さらに、乳白色アクリル樹脂からなる光透過拡散板は光透過損失が大きい。さらにまた、高温環境や多湿環境で光透過拡散板が大きくなるため、この増加寸法を吸収するための隙間を、光透過拡散板と筐体との間に確保しなければならない。その結果、製造過程および運搬過程でバックライト装置を回転すると、光透過拡散板が位置ずれを生じて筐体に衝突する音を発生したり、バックライト装置又は液晶表示装置を振動の加わる場所で使用すると、光透過拡散板が筐体と擦れて摩擦粉が発生する。そして、光透過拡散板にグラデーションパターンが施されている場合、光源とパターンの相対位置がずれてランプイメージが表れる。加えて、液晶表示装置の大型化と共に光透過拡散板の厚み、重量が大きくなる。
【課題を解決するための手段】
【０００６】
本発明は、これらの課題を解消するためになされたもので、バックライト装置において光学シートの背後で該光学シートを支持する部材にネットを用いたものである。具体的に、本発明に係る液晶表示装置及びそれに用いるバックライト装置は、開口部を備えた筐体と、筐体の内部に収容されている少なくとも一つの光源と、前記開口部を覆うネットと、前記ネット上に配置された光学シート要素を有する。【０００７】
本発明の他の形態に係る液晶表示装置及びバックライト装置は、前記ネットが繊維又は金属からなる縦糸及び横糸を編成して形成されている。【０００８】
本発明の他の形態に係る液晶表示装置及びバックライト装置は、前記ネットが、前記開口部上で少なくとも一方向に張力が加えられている。【０００９】
本発明の他の形態に係る液晶表示装置及びバックライト装置は、前記ネットが縦方向の糸配列又はワイヤ配列、または横方向の糸配列又はワイヤ配列のいずれかに
よって構成されている。【００１０】
本発明の他の形態に係る液晶表示装置及びバックライト装置は、前記光学シート要素が、光を拡散させて指向性を広げる拡散シート、光の視野角内に集光させる第１のレンズシート及び第２のレンズシート、特定の偏光成分を透過すると共に残りの偏光成分を反射する偏光分離シートの少なくともいずれか一つを有する。
【発明の効果】
【００１１】
このような構成を有する液晶表示装置及びバックライト装置は、光透過拡散板の代わりに用いられているネットが光透過拡散板に比べて相当軽く、薄く、そして低価格であるため、液晶表示装置及びバックライト装置の軽量化、薄型化、低価格化が可能である。また、ネットには常に張力が作用しているため、該ネットに支持された光学シート要素が液晶パネルに接触して該液晶パネルにストレスや損傷を与えることがない。さらに、光源や反射板からの光はその殆どがネットの開口部を通過するため、光透過拡散板よりも光透過損失を低く抑えることができる。さらにまた、高温多湿環境にあっても平滑な平面に保つことができるので、光透過拡散板の取り付けに必要であった隙間が不要であるし、その隙間に起因する問題（光透過拡散板の移動、異常音の発生、摩耗粉の発生）が解消される。そして、ネットの編み方（例えば、糸又はワイヤの間隔）を部分的に変えることで、グラデーションパターンと同じ効果も期待できる。
【図面の簡単な説明】
【００１２】
【図１】本発明の液晶表示装置の分解斜視図。
【図２Ａ】図１に示す液晶表示装置に組み込まれるバックライト装置の縦断面図。
【図２Ｂ】図２Ａの一部を拡大した断面図。
【図２Ｃ】筒状のシームレスネットを筐体に装着する状態を示す正面図。
【図３】ネットに用いるシングルカバリングヤーンの一部を拡大した斜視図（図３Ａ）、ネットに用いるダブルカバリングヤーンの一部を拡大した斜視図（図３Ｂ）、全体又はほぼ全体がサポーティヤーン（サポート糸）で編まれたオールサポーティ（ゾッキ）ネットの一部を拡大した図（図３Ｃ）、サポーティヤーンとナイロンヤーンを交互に編んだフルサポーティネットネットの一部を拡大した図（図３Ｄ）、単糸を格子型に織網状に編んだネットの一部を拡大した図（図３Ｅ）、普通もじ網ネットの一部を拡大した図（図３Ｆ）、改良もじ網ネットの一部を拡大した図（図３Ｇ）、狭編みの帯状ネット部分広編みの帯状ネット部分を交互に有するネットの一部を拡大した図（図３Ｈ）。
【図４】装着前のネットの拡大写真（５０倍）を示す図（図４ａ）、装着前のネットの拡大写真（２００倍）を示す図（図４ｂ）、装着後のネットの拡大写真（５０倍）を示す図（図４ｃ）、装着後のネットの拡大写真（２００倍）を示す図（図４ｄ）。
【図５Ａ】本発明の実施例である液晶表示装置及びバックライト装置の平面図。
【図５Ｂ】図５ＡのＣ−Ｃ線に沿った断面図である。
【図６】ネットの輝度分布特性を示す図（図６Ａ１）、ネット上に１枚の拡散シートを重ねたバックライト装置の輝度分布特性を示す図（図６Ａ２）、ネット上に４枚の光学シートを積層したバックライト装置の輝度分布特性を示す図（図６Ａ３）、光透過拡散板の輝度分布特性を示す図（図６Ｂ１）、光透過拡散板上に１枚の拡散シートを重ねたバックライト装置の輝度分布特性を示す図（図６Ｂ２）光透過拡散板上に４枚の光学シートを積層したバックライト装置の輝度分布特性を示す図（図６Ｂ３）。
【図７】ネットを用いたバックライト装置における視野角と輝度変化率との関係を示す図（図７Ａ）、光透過拡散板を用いたバックライト装置における視野角と輝度変化率との関係を示す図（図７Ｂ）。
【図８Ａ】従来の液晶表示装置の平面図。
【図８Ｂ】図８ＡのＢ−Ｂ線に沿った断面図。
【図８Ｃ】図８ＡのＣ−Ｃ線に沿った断面図。
【符号の説明】
【００１３】
１０：液晶表示装置、１１：液晶パネル、１２：バックライト装置、１３：筐体、１６：開口部、１８：反射板、１９：円筒光源（蛍光ランプ）、２０：ネット、２１：光学シート要素、２２：拡散シート、２３：第１のレンズシート、２４：第２のレンズシート、２５：偏光分離シート。
【発明を実施するための最良の形態】
【００１４】
以下、添付図面を参照して本発明に係るバックライト装置及び液晶表示装置の実施形態を説明する。なお、以下の説明では、発明の理解を容易にするために「左」、「右」、「上」、「下」などの用語及びそれらの派生語を用いているが、それらの用語は単に図面に表された構造の方向を指すものである。また、添付図面において同一の符号で示された部分は同一又は類似の部分を示すものである。【００１５】
図１は、本発明に係る液晶表示装置１０を構成する複数の要素を示す。図示するように、液晶表示装置１０は、液晶パネル１１と、液晶パネル１１の背後に配置されるバックライト装置１２を有する。液晶パネル１１は、液晶を利用した、公知の長方形の液晶セルである。バックライト装置１２は、液晶パネル１１とほぼ同じ大きさを有する四角形容器形状の筐体１３を有する。筐体１３は、以下に説明する複数のランプを収容するためのランプハウスを構成しており、長方形の背面板（底板）１４と、背面板１４の上端、下端、左右両端から前方に向かってそれぞれ突出する上部、下部、左部及び右部のフレーム部分１５Ｕ，１５Ｄ，１５Ｌ，１５Ｒを有し、これらフレーム部分１５Ｕ，１５Ｄ，１５Ｌ，１５Ｒの内側に開口部１６が形成されている。左右のフレーム部分１５Ｌ，１５Ｒの内側には、上下に伸びる光源支持部１７が設けてある。筐体１３の内側には、背面板１４に近接して反射板１８が配置されている。反射板１８の左右の端部はそれぞれ、開口部１６に向けて外側に且つ斜めに傾斜させてあり、これにより後述する光源から出射する光が効率良く液晶パネル１１に向けられるようにしてある。同様に、図２Ｃに最も良く示すように、反射板１８の上下の端部もそれぞれ、上下のフレーム部分１５Ｕ，１５Ｄの先端に向けて外側に且つ斜めに傾斜させ、後述する光源から出射する光が効率良く液晶パネル１１に向けられるようにすることが好ましい。左右の光源支持部１７の間には、一つ又は複数の円筒光源である蛍光ランプ１９が水平方向に向けて且つ上下方向に一定の間隔をあけて配置されている。各蛍光ランプ１９の両端部は、反射板１８の傾斜端部に形成されたランプ貫通孔を貫通しており、これら傾斜端部の背後に配置されている電源回路（図示せず）に接続されている。【００１６】
筐体１３の開口部１６は、ネット２０と、ネット２０の上に配置された光学調整部材である光学シート要素２１によって覆われている。ネット２０と光学シート要素２１は適当な方法によって筐体１３に固定され、筐体１３と共にバックライト装置１２を構成している。そして、バックライト装置１２の上に液晶パネル１１が設置されて固定され、液晶表示装置１０が構成されている。光学シート要素２１は、一つ又は複数の光学シートによって構成することが好ましい。実施の形態では、複数の光学シートには、光を拡散させて指向性を広げる拡散シート２２、光の視野角内に集光させる第１のレンズシート２３及び第２のレンズシート２４、特定の偏光成分を透過すると共に残りの偏光成分を反射する偏光分離シート２５が含まれており、これらのシートはネット２０上にこの順番で積層して構成されている。【００１７】
ネット２０の構成について図２Ａ〜図２Ｃ及び図３Ａ〜図３Ｈを参照して説明する。ネット２０は、適当な大きさのヤーンを編成して構成される。ネット２０に用いる糸の例が、図３Ａと図３Ｂに示してある。図３Ａはシングルカバリングヤーンを示し、これはポリウレタンを主原料とする単糸２６上にナイロンを主原料とするカバリングヤーン２７を一重巻きにしたものである。図３Ｂはダブルカバリングヤーンを示し、ポリウレタンを主原料とする単糸２８にナイロンを主原料とするカバリングヤーン２９と３０を２重巻きにしたものである。ヤーンは、透明でもよいし、任意の色（例えば、白色またはその他の色）を有するものであってもよい。また、ヤーンの大きさは、約５〜２００デニール、好ましくは約２０〜３０デニールの範囲で選択することが好ましい。なお、「デニール」は、糸の太さの単位で、９０００ｍ当りのグラム数である。【００１８】
ネット２０は任意の編み方によって編成された生地が利用できる。例えば、図３Ｃに示すネット生地は、全体又はほぼ全体がサポーティヤーン（サポート糸）３１で編まれたオールサポーティ（ゾッキ）である。図３Ｄに示すネット生地は、二種類の糸（例えば、サポーティヤーン３２とナイロンヤーン３３）を交互に編んだフルサポーティである。図３Ｅのネット生地は、例えばナイロン、ポリエチレン、ポリプロピレンの単糸３４を格子型に織網状に編んだものである。図３Ｆは、縦糸の撚り山の隙間を横糸が一定の間隔で貫通する普通もじ網３５のネット生地である。図３Ｇは、いわゆる改良もじ網３６のネット生地である。【００１９】
カバリングヤーンに代えて、ナイロン１００％の単糸を用いて図３Ｃ〜図３Ｅに示すネット生地を形成することができる。また、糸は、天然繊維又は化学繊維の糸である必要はなく、例えば、銅、スチール、ステンレスの細いワイヤを用いることができる。さらに、繊維糸と金属ワイヤを組み合わせて編成されたネットを用いることもできる。さらにまた、ネットは、編成された生地である必要はなく、例えば、筐体開口部１６の周囲に左右及び上下の枠を設け、対向する左右の枠又は対向する上下の枠若しくはそれらの両方の間に、繊維糸又は金属ワイヤを小さな間隔をあけて並行に張設して構成されたものであってもよい。つまり、本発明において、「ネット」の用語は、横方向（又は縦方向）に微小隙間をあけた状態で縦方向（又は横方向）にのみ多数の糸又はワイヤを配置したヤーンアレイ（糸配列）やワイヤアレイ（ワイヤ列）も含むものと理解すべきである。【００２０】
図３Ｈに示すように、蛍光ランプ１９の長手方向に伸びる、糸と糸の間の隙間が小さい狭編みの帯状ネット部分３７と、糸と糸の間の隙間が大きい広編みの帯状ネット部分３８を交互に有するネット２０を用いることもできる。この場合、蛍光ランプ１９の上に狭編みの帯状ネット部分３７を配置すると共に隣接する蛍光ランプ１９の間にある領域の上に広編みの帯状ネット部分３８を配置することで、蛍光ランプ１９から直接出射される光の高輝度を抑制することができる。【００２１】
ネット２０は適当な方法によって筐体１３に固定される。例えば、図３Ｃ〜図３Ｈに示すネットは、開口部１６上に配置され、左右方向又は上下方向若しくは両方向に一定の張力を加えた状態で、縦横及び上下フレーム部分１５Ｕ，１５Ｄ，１５Ｌ，１５Ｒに固定される。この場合、フレーム部分１５Ｕ，１５Ｄ，１５Ｌ，１５Ｒに固定される４辺の縦横ネット部分には例えば図１に示すように布又は樹脂の帯状固定部３９を接着剤で固定又は縫い付けて固定し、これら固定部３９をフレーム部分１５Ｕ，１５Ｄ，１５Ｌ，１５Ｒに接着剤又はステープラなどの適宜方法によって固定することが好ましい。このように、ネット２０に左右方向又は上下方向若しくはそれらの両方向に一定の張力を加えることで、開口部１６上に張設されたネット２０を、皺の無い平面状態に維持できる。【００２２】
筒状シームレスに編成されたネットを利用することもできる。この場合、図２Ｃに示すように、筒状ネットは、筐体１３に横方向から外装され、開口部１６上に位置するネット部分に上下方向又は左右方向若しくはそれらの両方向に一定の張力を加えた状態で固定される。この場合、例えば、通常の扁平状態（引っ張られていない平坦状態）で筐体１３の上下方向長さ２Ｄの約半分の幅Ｄを有する筒状ネットを利用すれば、この筒状ネットは筐体１３に装着された状態で約２倍に伸び、上下方向にほぼ均一な張力が安定して加えられる。【００２３】
上述のように、ネット２０は細い糸又はワイヤを用いて構成されており、その厚みは極めて小さく、約０．２ｍｍほどである。これに対して、本発明のネット２０の代わりに従来から利用されている光透過拡散板は、ネットに比べて相当大きな厚みを有する。例えば、１０．４インチ型バックライト装置の場合、従来利用されていた光透過拡散板は、１．７ｍｍの厚みを有する。従って、光透過拡散板を用いたバックライト装置（厚み２４ｍｍ）に比べて、本発明のバックライト装置はその厚みを約１．５ｍｍ（６％）も小さくできる。【００２４】
また、光透過拡散板は合成樹脂で形成されている。そのため、１０．４インチ型バックライト装置用の光透過拡散板は６４．３ｇの重さがあった。これに対し、同サイズのバックライト装置に用いるネット２０の重さは１．５ｇ程度である。したがって、光透過拡散板を用いたバックライト装置の重さは４８５．６ｇであったが、ネットを用いたバックライト装置の重さは４２２．８ｇであり、１３％の軽量化が可能である。【００２５】
図４は、図２Ｃに示す構成を有する実際のネットの拡大写真を示す図である。具体的に、図４Ａと図４Ｂは、非装着状態（張力が加えられていない状態）のネットの一部をそれぞれ５０倍、２００倍に拡大した写真である。図４Ｃと図４Ｄは、装着状態（張力が加えられた状態）のネットの一部をそれぞれ５０倍、２００倍に拡大した写真である。図４Ｄに示すように、装着状態におけるネットの網目は、蛍光ランプ１９の長手方向（矢印Ｘで示す横方向）に０．６４５ｍｍ、蛍光ランプと直交する方向（矢印Ｙで示す上下方向）に１．２６６ｍｍの大きさを有する。糸の径は０．０７５ｍｍであり、この場合、ネットの開口率は約８２％である。
【実施例】
【００２６】
図５Ａと図５Ｂは、１０．４インチ型の液晶表示装置およびバックライト装置を示す。筐体１３は、長方形の平面形状を有し、アルミニウムの板を加工して形成されている。筐体１３の内部には、８本の直径３ｍｍの冷陰極管３が、筐体１３の長辺方向に向けられ、短辺方向に所定の間隔をあけて並行に配されている。反射板１８は、筐体１３の内面に沿って配置されてある。反射効率を高めるために、反射板１８の上下左右の端部１８Ｕ，１８Ｄ，１８Ｌ，１８Ｒは開口部１６に向けて外側に傾斜させてあり、図５Ｂに示すように、反射板１８の断面は台形の形をしている。左右両側の反射板傾斜端部の背後に位置する蛍光ランプ１９の電極は、背面板１４の背後に配置されたインバータ回路４０と電気的に接続されている。【００２７】
液晶パネル１１の背後に配置された光学シート要素２１は、拡散シート２２、第１のレンズシート２３、第２のレンズシート２４、偏光分離シート２５を順次積層して構成されている。ネット２０は、光学シート要素２１の裏面側に配置されている。これら液晶パネル１１、光学シート要素２１、ネット２０は、ブラケット状（コ字状）の断面を有する金属製又は合成樹脂製の保持フレーム４１に囲まれてパネルユニットとして構成されている。そして、パネルユニットは、筐体１３の上下左右フレーム部分１５Ｕ，１５Ｄ，１５Ｌ，１５Ｒの開口部側端部（上端部）を外側に伸ばして形成されたフランジ４２上に設置され、固定フレーム４３によって筐体１３に固定されている。本実施例では、ネット２０は、左右方向又は上下方向若しくはそれら両方向に一定の張力を加えられ、周囲の４辺（左右の縦方向縁部と上下の横方向縁部）で液晶パネル１１と光学シート要素２１の周端を覆った状態で、保持フレーム４１に固定されている。【００２８】
図５Ａ及び図５Ｂに示す、１０．４インチ直下型バックライト装置Ａ１及び液晶表示装置と、拡散部材としてネットの代わりに１．７ｍｍの厚みを有する乳白色アクリル合成樹脂製光透過拡散板を用いた同型の従来のバックライト装置Ｂ１及び液晶表示装置について、平均輝度と、Ｘ，Ｙ方向の色度を測定した。両方の液晶表示装置において、バックライト装置の電源電圧は１２Ｖ、電源電流は１．３２Ａ、消費電力は１５．８５Ｗであった。【００２９】
表１は、筐体上にネットのみを配置したバックライト装置Ａ１と、筐体上に光透過拡散板のみを配置したバックライト装置Ｂ１のそれぞれについて、ネット上と透過拡散板上で測定した平均輝度を示す。
【表１】
2005116518.tif 000002
【００３０】
表２は、筐体上にネットと一枚の光透過拡散シートを配置したバックライト装置Ａ２と、筐体上に光透過拡散板と一枚の光透過拡散シートを配置したバックライト装置Ｂ２のそれぞれについて、光透過拡散シート上で測定した平均輝度を示す。
【表２】
2005116518.tif 000003
【００３１】
表３は、筐体上にネットと４つの光学シート（拡散シート、第１及び第２のレンズシート、偏光分離シート）を配置したバックライト装置Ａ３と、筐体上に光透過拡散板と同様の４つの光学シートを配置したバックライト装置Ｂ３のそれぞれについて、最上光学シート上で測定した平均輝度と、Ｘ及びＹ方向に関する中央部色度及び中央輝度を示す。
【表３】
2005116518.tif 000004
【００３２】
表１〜表３より、複数枚の光学シートを光透過拡散板上に重ねたバックライト装置Ｂに比べて、複数枚の光学シートをネット上に重ねたバックライト装置Ａの方が高い輝度が得られことがわかる。また、ネットを用いたバックライト装置Ａは、光学シートを積層した時の黄色（Ｙ）方向への色度シフトが、光透過拡散板を用いたバックライト装置Ｂに比べて少ないことがわかる。【００３３】
図６Ａ１と図６Ｂ１はそれぞれ、ネットと光透過拡散板の輝度分布特性を示す。図６Ａ２はネット上に１枚の拡散シートを重ねたバックライト装置の輝度分布特性曲線、図６Ｂ２は光透過拡散板上に１枚の拡散シートを重ねたバックライト装置の輝度分布曲線を示す。また、図６Ａ３はネット上に４枚の光学シート（拡散シート、第１及び第２のレンズシート、偏光分離シート）を積層したバックライト装置の輝度分布特性曲線、図６Ｂ３は光透過拡散板上に同様に４枚の光学シートを積層したバックライト装置の輝度分布曲線を示す。これらの図より、ネットと光透過拡散板の輝度分布、及びこれらネットと光透過拡散板に１枚の拡散シートを重ねたバックライト装置の輝度分布には不均一性が存在するが、ネットに４枚の光学シートを積層したバックライト装置の輝度分布は光透過拡散板に４枚の光学シートを積層したバックライト装置の輝度分布とほぼ同程度であることがわかる。【００３４】
図７Ａは、ネットを用いたバックライト装置における視野角と輝度変化率との関係を示す。また、図７Ｂは、光透過拡散板を用いたバックライト装置における視野角と輝度変化率との関係を示す。これらの図において、符号５０ａはネットだけを用いたときの特性曲線、符号５０ｂは光透過拡散板だけを用いたときの特性曲線を示す。符号５１ａはネットと１枚の拡散シートを用いたときの特性曲線、符号５１ｂは光透過拡散板と１枚の拡散シートを用いたときの特性曲線を示す。符号５２ａはネットと４枚の光学シート（拡散シート、第１及び第２のレンズシート、偏光分離シート）を用いたときの特性曲線、符号３５ｂは光透過拡散板と同様の４枚の光学シートを用いたときの特性曲線を示す。【００３５】
これらの図より、まずネットと光透過拡散板の特性を比較すると、ネットは法線方向の光線のほぼ全てを透過することから、光透過拡散板よりも広い視野角を示すことがわかる。次に、１枚の拡散シートを重ねた場合、ネットと拡散シートの組み合わせは光透過拡散板と拡散シートの組み合わせよりも広い視野角を示すことがわかる。続いて、４枚の光学シートを重ねた場合、ネットと光学シートとの組み合わせは、光透過拡散板と光学シートとの組み合わせよりも視野角が多少狭くなるが、レンズシートに起因するサイドローブ（図７Ｂにおいて符号５３ｂで示されている。）を除去できることがわかる。したがって、ネットを用いたバックライト装置は、光透過拡散板を用いたバックライト装置と同等の品質を有するものと理解できる。【００３６】
ネットと光透過拡散板に４枚の光学シート（拡散シート、第１及び第２のレンズシート、偏光分離シート）をそれぞれ積層したバックライト装置Ａ４、Ｂ４について、平均輝度、放射束（radiant flux）、光束（luminous flux）、平均演色評価数（general color rendering index）、ｘ方向とｙ方向の色度（chromaticity x, chromaticity y）を測定した。測定の結果を表４に示す。
【表４】
2005116518.tif 000005
この表から明らかなように、同一供給電力の条件で、ネットを用いたバックライト装置Ａ４の光束は光透過拡散板を用いたバックライト装置Ｂ４よりも約１０％高く、ネットの使用が明るさの改善に繋がることがわかる。【００３７】
上述したネットの効果は、薄い板にエッチングなどの処理技術を用いて所定の大きさの透光部（例えば、開口又は窓若しくは透明部）を縦方向と横方向に連続して形成したメッシュ板、また合成樹脂を成形（例えば、射出成形又はプレス成形）して形成される帯状又は板状のシートに該シート成形時に同様の透光部を一体的に形成したメッシュ板によっても得ることができる。【００３８】
また、上述した複数の実施例において光学シート要素を構成する複数のシート材の積層順序は限定的なものでなく、適宜変更可能である。例えば、レンズシートを最上部に配置することもできる。また、複数組の光学シートを積層してもよい。さらに、光学シートに代えて、又は光学シートとともに、電磁遮蔽シートを用いることもできる。さらにまた、ネットは、これを直接筐体に固定する必要はなく、ネット固定用の四角形フレームに固定し、このフレームを介して筐体に固定してもよい。
【図１】
2005116518.tif 000006
【図２Ａ】
2005116518.tif 000007
【図２Ｂ】
2005116518.tif 000008
【図２Ｃ】
2005116518.tif 000009
【図３】
2005116518.tif 000010
【図４】
2005116518.tif 000011
【図５Ａ】
2005116518.tif 000012
【図５Ｂ】
2005116518.tif 000013
【図６】
2005116518.tif 000014
【図７】
2005116518.tif 000015
【図８Ａ】
2005116518.tif 000016
【図８Ｂ】
2005116518.tif 000017
【図８Ｃ】
2005116518.tif 000018
【国際調査報告】
2005116518.tif 000019
2005116518.tif 000020
2005116518.tif 000021
2005116518.tif 000022
2005116518.tif 000023
2005116518.tif 000024